(57)【要約】【課題】成型し易く、且つ、液垂れし難い液体格納容器を提供する。【解決手段】注ぎ口２を備え、注ぎ口２を形成する側壁の端には外側に出っ張る凸部３が設けられており、凸部３は、自液体格納容器を直立させたときに、水平方向に対して上方に５°から下方に１０°の傾きを有している。【選択図】図１
2017127547.tif 000002
【特許請求の範囲】
【請求項１】
注ぎ口を備え、
前記注ぎ口を形成する側壁の端には外側に出っ張る凸部が設けられており、
前記凸部は、自液体格納容器を直立させたときに、水平方向に対して上方に５°から下方に１０°の傾きを有している、液体格納容器。
【請求項２】
前記凸部は、前記水平方向に対して平行な方向に出っ張っている、請求項１に記載の液体格納容器。
【請求項３】
前記凸部は、前記注ぎ口の先端に設けられている、請求項１又は２に記載の液体格納容器。
【請求項４】
自液体格納容器を直立させたときに、最も上方が開口しており、当該上方の開口した面と、前記注ぎ口の開口面とは同じ面である、請求項１〜３のいずれか１項に記載の液体格納容器。
【請求項５】
前記注ぎ口の開口面を開閉する注ぎ口蓋を備え、前記注ぎ口蓋は前記開口面に平行な方向の直線を回転軸として回動するものである、請求項１〜４のいずれか１項に記載の液体格納容器。
【請求項６】
格納する水を浄化するための浄水用カートリッジを保持するホルダーを備える、請求項１〜５のいずれか１項に記載の液体格納容器。
【請求項７】
請求項６に記載の液体格納容器と、
前記液体格納容器の蓋と、
前記ホルダーに保持された浄水用カートリッジと
を備えた、浄水器。
【請求項８】
液体格納容器の注ぎ口であって、
前記注ぎ口を形成する側面の端には外側に出っ張る凸部が設けられており、
前記凸部は、自液体格納容器を直立させたときに、水平方向に対して上方に５°から下方に１０°の傾きを有している、注ぎ口。
【発明の詳細な説明】
【技術分野】
【０００１】
本発明は、例えば、水などの液体を格納するための液体格納容器に関する。
【背景技術】
【０００２】
特許文献１には、注ぎ口の直下方に斜下方に向いた受け皿部が設けられた液体容器が記載されている。
【０００３】
特許文献２には、注ぎ口の下方の容器本体の外面に窪み部が設けられた液体容器が記載されている。
【０００４】
特許文献３には、水切り部と水注ぎ部との間に皿状に形成された水引戻し部が設けられた液体容器が記載されている。
【先行技術文献】
【特許文献】
【０００５】
【特許文献１】実開昭４９−７３６８５号公報
【特許文献２】特許第４７４６１４５号公報
【特許文献３】特開２０１３−２３３２４６号公報
【発明の概要】
【発明が解決しようとする課題】
【０００６】
特許文献１の液体容器は、注ぎ口と受け皿部との間が、液体が残存しやすいため汚染しやすい。
【０００７】
特許文献２の液体容器は、窪み部に液体が残存しやすいため汚染しやすい。
【０００８】
特許文献３の液体容器は、構造が複雑であるため成型し難い。
【０００９】
本発明は、前記の問題点に鑑みてなされたものであり、その目的は、成型し易く、且つ、液垂れし難い液体格納容器を提供することにある。
【課題を解決するための手段】
【００１０】
上記の課題を解決するために、本発明に係る液体格納容器は、注ぎ口を備え、前記注ぎ口を形成する側壁の端には外側に出っ張る凸部が設けられており、前記凸部は、自液体格納容器を直立させたときに、水平方向に対して上方に５°から下方に１０°の傾きを有している。
【００１１】
また、本発明に係る液体格納容器の注ぎ口は、前記注ぎ口を形成する側面の端には外側に出っ張る凸部が設けられており、前記凸部は、自液体格納容器を直立させたときに、水平方向に対して上方に５°から下方に１０°の傾きを有している。
【発明の効果】
【００１２】
本発明によれば、成型し易く、且つ、液垂れし難い液体格納容器を提供できるという効果を奏する。
【図面の簡単な説明】
【００１３】
【図１】本発明の実施形態１に係る液体格納容器の構成を示す図である。
【図２】本発明の実施形態１に係る液体格納容器の構成を示す図である。
【発明を実施するための形態】
【００１４】
以下、本発明に係る液体格納容器の一実施形態について、図１及び２を用いて詳細に説明する。図１及び図２は、本実施形態に係る液体格納容器１の構成を示す図であり、図１は、蓋１１及び原水を貯留する内容器となる原水貯留部１２を取り外している状態の液体格納容器１の構成を示し、図２は蓋１１の構成並びに蓋１１及び原水を貯留する内容器となる原水貯留部１２を搭載している状態の液体格納容器１の構成を示す。
【００１５】
〔液体格納容器１の構成〕
図１の（ａ）〜（ｃ）に示すように液体格納容器１は注ぎ口２を備えている。液体格納容器１に格納された水を傾けると注ぎ口２から水を外部に注ぐことができる。
【００１６】
注ぎ口２は液体格納容器１の上面の開口部の一部として形成されている。つまり、自液体格納容器を直立させたときに、最も上方が開口しており、当該上方の開口した面と、注ぎ口２の開口面２’とは同じ面になる。また、前記上方の開口した面と、注ぎ口２の開口面２’とは共に水平である。
【００１７】
本実施形態ではこのように、注ぎ口２の開口面２’は液体格納容器１の上方の開口面と同じ面であるが、本発明に係る液体格納容器はこのような形態に限定されない。例えば、注ぎ口は、液体格納容器の上方の開口面より下の位置に設けられていてもよい。また、注ぎ口の開口面が水平方向以外の方向に傾斜していても、注ぎ口に設けられた凸部が後述する範囲の角度で設けられていれば本発明の範疇である。
【００１８】
なお、特に断りの無い限り、「上」、「下」という場合には、液体格納容器を直立させたときの位置を意味する。
【００１９】
また、注ぎ口２の先端から下方に向かうに伴い、液体格納容器１の内側に向かって傾斜が設けられている。内壁もこの傾斜に沿った形状となっており、水を注ぐとき内部の水はこの傾斜に沿って注ぎ口まで円滑に移動できるように構成されている。
【００２０】
図１の（ｄ）及び（ｅ）に示すように、注ぎ口２の先端には凸部３が設けられている。凸部３は、注ぎ口２を形成する側壁の開口面側の端が、液体格納容器１の外側に出っ張った構造である。図１の（ｄ）は図１の（ｂ）の丸Ａで囲った箇所の拡大図であり、図１の（ｅ）は図１の（ｃ）の丸Ｂで囲った箇所の拡大図である。
【００２１】
凸部３を備えることによって、液体格納容器１から液体を注ぐとき、液垂れを防止できる。液垂れは液体を注ぐ際に最後に注ぎ口の縁上に残った液体が外側の下方に蔦っていくことで起きるが、注ぎ口の縁上に残った液体が凸部３上に保持されるため、液垂れが防止される。このように液体格納容器の外部への液垂れを防止することは、液体格納容器を冷蔵庫等のさらに別の容器内に格納するときに好適である。当該別の容器内が液体格納容器内の液体によって汚染されることを防止できるからである。例えば、冷蔵庫内に液体格納容器を入れる場合、従来技術のように液垂れが起きると、液体格納容器を置く場所の下が、垂れた液体で汚染される可能性が高い。汚染が起きると掃除等の手間がかかる。しかし、本発明によればこのような汚染を抑制することができる。
【００２２】
また、仮に注ぎ口の縁上に残った液体が容器の内側に戻る場合、外気に触れ雑菌等に汚染された可能性のある液体が、容器内の液体に混入することになり、液体が汚染される虞がある。例えば、特許文献３では液垂れを防止するために水引戻し部によって容器内に液体を戻すが、これでは容器内に液体が戻ってしまい、中の液体が汚染される虞がある。しかし、本実施形態によれば、凸部３は水平方向に出っ張っているため、その上に残存した液体が中に戻ることを防ぐ。よって、容器内の液体が汚染されることを防ぐことができるという利点もある。
【００２３】
本実施形態では、凸部３は水平方向に出っ張っているが、本発明に係る液体格納容器の凸部はこのような形態に限定されない。水平方向に対して上方に５°から下方に１０°の傾きを有していればよい。この角度の範囲であれば、注ぎ終わった後に注ぎ口の縁に残る水が凸部の上に維持され、容器外に液体が垂れ難い。また、容器内に戻ることも防ぐことができる。上方に５°より大きく傾いていると、容器内に液体が戻りやすくなるため、容器内の液体が汚染されやすくなる。また、下方に１０°より大きく傾いていると、液体が容器外に垂れやすくなる。この角度の範囲内であれば、本実施形態のように水平であることがより好ましい。
【００２４】
ところで、特許文献３の液体容器は、注ぎ口にたまった液体が容器中に戻るため、液体容器中の水が汚染されやすい。しかし、本発明によれば上述の通り、注ぎ口にたまった液体が容器中に戻ることも防ぐことができる。
【００２５】
なお、凸部３上に留まった液体は適宜拭き取ってもよく、蒸発するのを待ってもよい。
【００２６】
また、凸部３は注ぎ口２の先端に設けられている。液体を注ぐときには先端から多くの液体が出ていくため、効率よく、液垂れ及び容器内へ戻ることを防ぐことができる。ただし、本発明において、凸部は注ぎ口の先端以外の場所に設けられていてもよい。
【００２７】
凸部３は注ぎ口の開口面の縁の一部を出っ張らすだけという簡易な形状であるため、成型が容易である。液体格納容器１全体と一体成型することが容易な形状であるため、液体格納容器１を容易に製造することができる。
【００２８】
凸部３の開口面に平行な方向の輪郭は曲線である。曲線の円弧半径（Ｒ）は適宜設定すればよい。また、凸部３は、注ぎ口２の先端において、開口面に平行な方向全体に亘って設けられていることがより好ましいが、これに限定されず、凸部３の開口面に平行な方向の幅は適宜設定すればよい。例えば、注ぎ口２からの注水量が多い場合には、凸部３の開口面に平行な方向の幅は広い方がより好ましいが、注水量が少ない場合には、この幅は狭くてもよい。
【００２９】
図１の（ｄ）に示すように凸部３の上下の端は丸みを帯びている。つまり、液体格納容器１を直立させたときの凸部３の鉛直方向の断面の上下は丸みを帯びている。丸みの円弧半径は、使用者が触れたときの感触を柔らかくし、液垂れをより抑制する理由から、０．２以上、０．８以下が好ましく、０．３以上、０．５以下がより好ましい。また、丸みは上下で異なっていてもよく同じでもよい。また、凸部の鉛直方向の長さは、液体格納容器１全体のデザイン性を損なうことなく、機能を確保する理由から、１ｍｍ以上、２ｍｍ以下であることがより好ましい。さらに、凸部３の水平方向の長さ（つまり、注ぎ口の先端の内壁から凸部３の先端までの長さ）は、液体格納容器１全体のデザイン性を損なうことなく、機能を確保する理由から、０．５ｍｍ以上、１．５ｍｍ以下であることがより好ましい。
【００３０】
次に、図２を用いて、蓋１１の構成及び原水貯留部１２について説明する。
【００３１】
蓋１１は液体格納容器１の蓋である。その先端には注ぎ口蓋１１’が設けられている。液体格納容器１は蓋１１を備えていることにより、雑菌が容器内に混入することを防ぐことができる。
【００３２】
注ぎ口蓋１１’は注ぎ口２の開口面を開閉する蓋である。注ぎ口蓋１１’は直線Ｌを回転軸として矢印Ａ方向に回動するものである。直線Ｌは注ぎ口２の開口面に平行な方向の直線である。
【００３３】
注ぎ口蓋１１’は、液体を注ぐ目的で液体格納容器１を傾けたときに開くようになっている。これは、直線Ｌを回転軸として回動する構成であるため、液体を注ぐ際に当該液体によって内側から押されるからである。また、液体を注ぐことを辞めるために、直立状態に戻した際には、内側から押す液体が無くなるため、注ぎ口蓋１１’は閉じる。
【００３４】
このような構成の注ぎ口蓋１１’を備えていることにより、液垂れ及び液体が容器内へ戻ることをより効率的に防ぐことができる。液体を注いだ後に即座に閉じることにより、凸部３上の液体を注ぎ口蓋１１’が上から押さえることによって、当該液体が留められるからである。
【００３５】
原水貯留部１２は、浄水用カートリッジにより浄化する水（被処理水・原水）を貯留する。図２に示すように、原水貯留部１２の底には、浄水用カートリッジを着脱可能に保持する嵌め込み部（ホルダー）１３が設けられている。このように液体格納容器１は自重力式の浄水器として使用できる。
【００３６】
また、嵌め込み部１３は、例えば、次のような構造であってもよい。つまり、嵌め込み部１３は筒状形状の構造を有しており、円柱状の浄水用カートリッジを保持するように、当該浄水用カートリッジの長さ方向に垂直な方向の断面形状の輪郭と、嵌め込み部１３の内側の輪郭とが同じ大きさになっていたり、浄水用カートリッジにあらかじめ設けられた爪、凸状構造等に係合する穴、溝、凹部を有していたりする。液体格納容器１は、嵌め込み部１３に浄水用カートリッジを装着し、蓋１１を取り付けることで、浄水器として使用され得る。すなわち、このような浄水器も、本発明に含まれる。
【００３７】
原水貯留部１２は、液体格納容器１から脱着可能な構造となっていてもよい。脱着可能とすることで、液体格納容器１内に液体を注ぎやすくすることができる。
【００３８】
原水貯留部１２を備えることで、格納されている液体が注ぎ口に到達するまでの流路が狭くなる。これにより流速が上がりやすくなり、使用者の想定以上の流速及び量で液体が注ぎ口から出やすくなる。そのため、液垂れが生じやすくなることが懸念されるが、本発明によれば、凸部を備えることにより、より効果的に液垂れを防止することができる。
【００３９】
以上の実施形態では、注ぎ口２が液体格納容器１から取り外せない形態について説明したが、このような形態には限定されない。注ぎ口は脱着式であってもよい。また、その場合、液体格納容器の注ぎ口を取り付ける場所には液体を外部に注ぎだせるように、注ぎ口に対応した穴を形成していてもよい。換言すれば、注ぎ口を形成する側面の端には外側に出っ張る凸部が設けられており、凸部は、自液体格納容器を直立させたときに、水平方向に対して上方に５°から下方に１０°の傾きを有している、注ぎ口も本発明の範疇である。
【００４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００４１】
〔付記事項〕
以上のように、本発明に係る液体格納容器では、前記凸部は、前記水平方向に対して平行な方向に出っ張っていることがより好ましい。
【００４２】
本発明に係る液体格納容器では、前記凸部は、前記注ぎ口の先端に設けられていることがより好ましい。
【００４３】
本発明に係る液体格納容器では、自液体格納容器を直立させたときに、最も上方が開口しており、当該上方の開口した面と、前記注ぎ口の開口面とは同じ面であることがより好ましい。
【００４４】
本発明に係る液体格納容器では、前記注ぎ口の開口面を開閉する注ぎ口蓋を備え、前記注ぎ口蓋は前記開口面に平行な方向の直線を回転軸として回動するものであることがより好ましい。
【００４５】
本発明に係る液体格納容器では、格納する水を浄化するための浄水用カートリッジを保持するホルダーを備えることがより好ましい。また、当該液体格納容器と、その蓋と、前記ホルダーに保持された浄水用カートリッジとを備えた浄水器も、本発明に含まれる。
【産業上の利用可能性】
【００４６】
本発明は、浄水用カートリッジ付きのポット、ピッチャー等の液体格納容器として利用することができる。
【符号の説明】
【００４７】
１    液体格納容器
２    注ぎ口
２’  開口面
３    凸部
１１  蓋
１１’注ぎ口蓋
１２  原水貯留部
１３  嵌め込み部（ホルダー）
【図１】
2017127547.tif 000003
【図２】
2017127547.tif 000004